(57)【要約】  【課題】      長期使用に耐えうる十分な強度を確保できるとともに、グリップエンドの滑りを確実に防止できる釣竿を提供する。  【解決手段】  釣竿１０は、竿体１２と竿体１２の竿元部に取り付けられたグリップ部１４とを備えており、グリップ部１４は、釣人の体に押し当てられるグリップエンド２８を有している。グリップエンド２８は、ゴム等の弾性材料からなる円筒状の部材であり、グリップエンド２８の表面には、軸方向へ延びる複数の軸方向溝３２が形成されている。したがって、グリップエンド２８を釣人の体に押し当てると、軸方向溝３２の開口部のエッジ３６が釣人の体や衣服に引っ掛かることになる。これにより、グリップエンド２８の滑りを防止でき、釣竿１０を確実に固定できる。【選択図】      図２
2006191874.tif 000002
【特許請求の範囲】
【請求項１】
竿体と前記竿体の竿元部に取り付けられたグリップ部とを備え、前記グリップ部は、釣人の体に押し当てられるグリップエンドを有する、釣竿において、
前記グリップエンドは、弾性材料からなる円筒状の部材であり、前記グリップエンドの表面には、軸方向へ延びる複数の軸方向溝が形成されていることを特徴とする、釣竿。
【請求項２】
前記グリップエンドの表面には、周方向へ延びる複数の周方向溝が形成されている、請求項１に記載の釣竿。
【請求項３】
竿体と前記竿体の竿元部に取り付けられたグリップ部とを備え、前記グリップ部は、釣人の体に押し当てられるグリップエンドを有する、釣竿において、
前記グリップエンドは、弾性材料からなる円筒状の部材であり、前記グリップエンドの表面には、螺旋状に巻回された螺旋溝が形成されていることを特徴とする、釣竿。
【請求項４】
竿体と前記竿体の竿元部に取り付けられたグリップ部とを備え、前記グリップ部は、釣人の体に押し当てられるグリップエンドを有する、釣竿において、
前記グリップエンドは、弾性材料からなる円筒状の部材であり、前記グリップエンドの表面には、複数の突起が形成されていることを特徴とする、釣竿。
【発明の詳細な説明】
【技術分野】
【０００１】
本発明は、竿体と竿体の竿元部に取り付けられたグリップ部とを備える釣竿に関し、特に、グリップ部の後端部に釣人の体に押し当てられるグリップエンドが設けられている、釣竿に関する。
【背景技術】
【０００２】
図７には、この種の従来の釣竿１を示している。この釣竿１は、竿体２と竿体２の竿元部に取り付けられたグリップ部３とを備えており、グリップ部３は、リールシート３ａ、フロントグリップ３ｂ、リアグリップ３ｃ、グリップシャフト３ｄおよびグリップエンド３ｅによって構成されていた。そして、釣人が釣竿１を操作する際には、リアグリップ３ｃを握った状態で、グリップエンド３ｅを釣人の体（腕等）Ａに押し当てるようにしていた（非特許文献１参照）。
【非特許文献１】株式会社がまかつ「gamakatsu FISHING GEAR COLLECTION 2004 」P.106
【発明の開示】
【発明が解決しようとする課題】
【０００３】
従来の釣竿１では、グリップエンド３ｅが天然コルク材で形成されていたので、質感には優れるものの、強度的に脆いだけでなく、滑りやすいという問題があった。
【０００４】
それゆえに、この発明の主たる目的は、長期使用に耐えうる十分な強度を確保できるとともに、グリップエンドの滑りを確実に防止できる、釣竿を提供することである。
【課題を解決するための手段】
【０００５】
請求項１に記載した発明は、「竿体１２と竿体１２の竿元部に取り付けられたグリップ部１４とを備え、グリップ部１４は、釣人の体Ａに押し当てられるグリップエンド２８を有する、釣竿１０において、グリップエンド２８は、弾性材料からなる円筒状の部材であり、グリップエンド２８の表面には、軸方向へ延びる複数の軸方向溝３２が形成されていることを特徴とする、釣竿１０」である。
【０００６】
この発明では、グリップエンド２８の表面に複数の軸方向溝３２が形成されているので、軸方向溝３２の開口部のエッジ３６が釣人の体（腕等）Ａや衣服に引っ掛かることとなり、これによりグリップエンド２８の滑りを防止でき、釣竿１０を確実に固定できる。また、グリップエンド２８が弾性材料で形成されているので、開口部のエッジ３６に押圧力が作用した場合でも、エッジ３６が破損されることはない。
【０００７】
請求項２に記載した発明は、請求項１に記載した「釣竿１０」において、「グリップエンド２８の表面には、周方向へ延びる複数の周方向溝３８が形成されている」ことを特徴とする。
【０００８】
この発明では、軸方向溝３２に加えて周方向溝３８が形成されているので、釣竿１０をより確実に固定できる。
【０００９】
請求項３に記載した発明は、「竿体１２と竿体１２の竿元部に取り付けられたグリップ部１４とを備え、グリップ部１４は、釣人の体Ａに押し当てられるグリップエンド２８を有する、釣竿１０において、グリップエンド２８は、弾性材料からなる円筒状の部材であり、グリップエンド２８の表面には、螺旋状に巻回された螺旋溝４０が形成されていることを特徴とする、釣竿１０」である。
【００１０】
この発明は、グリップエンド２８の表面に、請求項１の軸方向溝３２または請求項２の周方向溝３８に代えて螺旋溝４０を形成したものである。螺旋溝４０の開口部のエッジは、グリップエンド２８の軸に対して傾斜しているので、このエッジが釣人の体（腕等）Ａや衣服に引っ掛かることによって、グリップエンド２８の軸方向および軸に直交する方向への滑りを防止できる。
【００１１】
請求項４に記載した発明は、「竿体１２と竿体１２の竿元部に取り付けられたグリップ部１４とを備え、グリップ部１４は、釣人の体Ａに押し当てられるグリップエンド２８を有する、釣竿１０において、グリップエンド２８は、弾性材料からなる円筒状の部材であり、グリップエンド２８の表面には、複数の突起４２が形成されていることを特徴とする、釣竿１０」である。
【００１２】
この発明では、突起４２の先端部のエッジ４４が釣人の体（腕等）Ａや衣服に引っ掛かることによって、グリップエンド２８の滑りを防止できる。
【発明の効果】
【００１３】
請求項１〜４に記載した発明によれば、グリップエンドの表面に形成された溝または突起のエッジを釣人の体や衣服に引っ掛けることができ、これによりグリップエンドの滑りを確実に防止できる。また、グリップエンドを弾性材料で形成しているので、溝または突起のエッジに押圧力が作用した場合でも、エッジが破損されることはなく、長期使用に耐えうる十分な強度を確保できる。さらに、グリップエンドが円筒状であるため、釣人の体に押し当てられる位置、角度または方向を任意に変更することができる。
【発明を実施するための最良の形態】
【００１４】
図１は、本発明が適用された釣竿１０を示す正面図であり、図２は、釣竿１０を構成するグリップ部１４を示す正面図および断面図であり、図３は、釣竿１０の使用状態を示す正面図である。以下には、図１〜図３を参照しながら、釣竿１０について説明する。
【００１５】
釣竿１０（図１〜図３）は、竿体１２と、竿体１２の竿元部に取り付けられたグリップ部１４とを備えている。竿体１２は、図１に示すように、強化繊維（炭素繊維またはガラス繊維等）に合成樹脂を含浸させたプリプレグを筒状に巻くことによって形成された先細り筒状の竿本体１６と、竿本体１６に軸方向へ所定の間隔を隔てて取り付けられた複数の釣糸ガイド１８とによって構成されており、竿体１２の竿元部にグリップ部１４が取り付けられている。
【００１６】
グリップ部１４は、図２に示すように、リールシート２０と、フロントグリップ２２と、リアグリップ２４と、グリップシャフト２６と、グリップエンド２８とを備えている。
【００１７】
リールシート２０は、釣竿１０に対してリール３０（図３）を着脱自在に取り付けるための部材であり、リール３０の脚部が載置される載置部２０ａと、脚部の一端に係止される固定フード２０ｂと、脚部の他端に係止される可動フード２０ｃとによって構成されている。
【００１８】
フロントグリップ２２およびリアグリップ２４は、リールシート２０の前後において把持部を構成するための部材であり、弾性合成樹脂（ポリウレタンまたはＥＶＡ等）や天然コルク等のような滑り難く、かつ、手触りの良い材料によって形成されている。
【００１９】
グリップシャフト２６は、リアグリップ２４とグリップエンド２８とを連結するための部材であり、繊維強化プラスチック等のような高強力材料によって棒状に形成されている。グリップシャフト２６の長さは、釣人がリアグリップ２４を握った際に、グリップエンド２８が釣人の体（腕等）Ａに押し当てられるように設定されている（図３）。
【００２０】
なお、この実施例では、グリップエンド２８を釣人の腕に押し当てる場合を示しているが（図３）、釣の種類によっては、グリップエンド２８を釣人の胴体に押し当てる場合もあり、その場合のグリップシャフト２６の長さは、グリップエンド２８を腕に押し当てる場合よりも長めに設定されることになる。
【００２１】
グリップエンド２８は、釣人の体Ａに押し当てられる円筒状の部材であり、ニトリルゴム（ＮＢＲ）、イソプレンゴム（ＩＲ）またはスチレンブタジエンゴム（ＳＢＲ）等の弾性材料によって形成されている。そして、グリップエンド２８の表面には、図２に示すように、軸方向へ延びる複数の軸方向溝３２が形成されており、グリップエンド２８の中心部には、グリップシャフト２６の後端部が挿入されている。
【００２２】
グリップエンド２８の外径は、グリップシャフト２６の外径よりも大きく設定されている。したがって、グリップエンド２８は、釣人の体Ａに対して点で接触することとなり、その接触点に力を集中させることによってグリップエンド２８の滑りを有効に防止できる。
【００２３】
また、各軸方向溝３２は、図２（Ｂ）に示すように、開口端部から底部に亘って一定の幅で形成されている。したがって、軸方向溝３２に挟まれた突条３４においては、基部の幅よりも先端部の幅の方が広くなり、軸方向溝３２の開口部のエッジ３６、すなわち突条３４の先端部の角部分は、９０度よりも小さい鋭角をなすことになる。これにより、グリップエンド２８が釣人の体Ａや衣服に引っ掛かり易くなり、グリップエンド２８の滑りを有効に防止できる。また、エッジ３６が撓み易くなり、エッジ３６に作用する押圧力を吸収して、エッジ３６の損傷を有効に防止できる。
【００２４】
釣竿１を用いて魚釣りをする際には、グリップ部１４のリールシート２０にリール３０を取り付け、リール３０から引き出した釣糸を各釣糸ガイド１８に挿通し、釣糸の先端に仕掛けを取り付ける。そして、グリップ部１４のフロントグリップ２２またはリアグリップ２４を把持して、キャスティングやリトリーブ等の操作を行う。釣竿１０の操作時に、釣竿１０を固定したい場合には、図３に示すように、グリップエンド２８を体（腕等）Ａに押し当てる。すると、軸方向溝３２の開口部のエッジ３６（図２（Ｂ））が体（腕等）Ａや衣服に引っ掛かり、グリップエンド２８の滑りが抑制される。なお、リールシート２０に取り付けるリール３０の種類は特に限定されるものではなく、図３に示すような「ベイトリール」の他に「スピニングリール」を取り付けるようにしてもよい。
【００２５】
また、上述の実施例では、グリップエンド２８の表面に複数の軸方向溝３２（図２）を形成しているが、図４に示すように、軸方向溝３２に加えて周方向へ延びる複数の周方向溝３８を形成してもよいし、図５に示すように、軸方向溝３２または周方向溝３８に変えて螺旋状に巻回された螺旋溝４０を形成してもよい。さらに、図６に示すように、グリップエンド２８の表面に複数の突起４２を形成してもよい。
【００２６】
周方向溝３８を形成した場合（図４）には、グリップエンド２８の軸方向および軸に直交する方向への滑りをより効果的に防止でき、螺旋溝４０を形成した場合（図５）には、連続する１つの螺旋溝４０だけでグリップエンド２８の軸方向および軸に直交する方向への滑りを防止できる。そして、複数の突起４２を形成した場合（図６）には、各突起４２の先端部のエッジ４４が釣人の体（腕等）Ａや衣服に引っ掛かることで、グリップエンド２８の滑りを防止できる。
【００２７】
なお、突起４２（図６）の形状は、特に限定されるものではないが、あらゆる方向への滑りを均等に防止するためには、図６のような円柱状であることが望ましく、また、突起４２のエッジ４４を釣人の体（腕等）Ａや衣服に引っ掛かり易くするためには、突起４２の外径を先端部へ向けて大きくすること、すなわち突起４２を先端側へ向けて拡大する円錐台状に形成することが望ましい。
【図面の簡単な説明】
【００２８】
【図１】釣竿（グリップエンドに軸方向溝が形成されている）を示す正面図
【図２】図１の釣竿を構成するグリップ部を示す正面図
【図３】図１の釣竿の使用状態を示す正面図
【図４】釣竿（グリップエンドに周方向溝が形成されている）を示す正面図
【図５】釣竿（グリップエンドに螺旋溝が形成されている）を示す正面図
【図６】釣竿（グリップエンドに突起が形成されている）を示す正面図
【図７】従来の釣竿を示す正面図
【符号の説明】
【００２９】
１０…  釣竿
１２…  竿体
１４…  グリップ部
１６…  竿本体
１８…  釣糸ガイド
２０…  リールシート
２２…  フロントグリップ
２４…  リアグリップ
２６…  グリップシャフト
２８…  グリップエンド
３０…  リール
３２…  軸方向溝
３４…  突条
３６，４４…  エッジ
３８…  周方向溝
４０…  螺旋溝
４２…  突起
【図１】
2006191874.tif 000003
【図２】
2006191874.tif 000004
【図３】
2006191874.tif 000005
【図４】
2006191874.tif 000006
【図５】
2006191874.tif 000007
【図６】
2006191874.tif 000008
【図７】
2006191874.tif 000009